(57)【要約】【課題】支柱とパネルの端部との間の隙間を確実に塞ぐことができ、しかも、パネルを補強してパネルの変形を確実に防止することができるフェンス用パネル端部押え金具を提供する。【解決手段】防音目隠しフェンスのパネルの左右端部に固定されるフェンス用パネル端部押え金具において、平板を平面形状Ｚ形に折り曲げて、一側片１Ａ、中央片１Ｂおよび他側片１Ｃを形成したものからなり、一側片１Ａには、一側片１Ａの長手方向に間隔をあけて複数個の長孔からなるボルト孔３が形成され、他側片１Ｃは、フェンスの支柱４に当接される。【選択図】図２
2010261243.tif 000002
【特許請求の範囲】
【請求項１】
防音目隠しフェンスのパネルの左右端部に固定されるフェンス用パネル端部押え金具において、
平板を平面形状Ｚ形に折り曲げて、一側片、中央片および他側片を形成したものからなり、前記一側片には、前記一側片の長手方向に間隔をあけて複数個の長孔が形成され、前記他側片は、フェンスの支柱に当接されることを特徴とするフェンス用パネル端部押え金具。
【発明の詳細な説明】
【技術分野】
【０００１】
この発明は、フェンス用パネル端部押え金具、特に、支柱間に板状パネルを固定したものからなる、防音と目隠し機能とを兼ね備えたフェンスのパネル端部押え金具に関するものである。
【背景技術】
【０００２】
防音と目隠し効果を兼ね備えた防音目隠しフェンスは、図４の防音目隠しフェンスを示す正面図、および、図４の一部拡大図である図５に示すように、上、下の胴縁１３間に取り付けられたパネル１２を、支柱１１間に継手金具１４を介して固定したものからなっている。パネル１２は、例えば、樹脂板の両面にアルミニウム板を貼付けたものからなっている。
【０００３】
従来、上記のような防音目隠しフェンスにおいては、パネル１２の左右端部を補強するために、パネル１２の端部の表裏面にフェンス用パネル端部押え金具１５をボルト止めしていた。以下、このフェンス用パネル端部押え金具を従来押え金具という。従来押え金具１５は、図６の平面図に示すように、鋼板等の平板の幅方向両端部に半円形状のリブを形成したものからなっている。
【発明の概要】
【発明が解決しようとする課題】
【０００４】
上述した従来押え金具１５によれば、これをパネル１２の端部の両面に固定することにより、パネル１２の端部が補強されるので、パネル１２の変形を有効に防止することができる。
【０００５】
しかしながら、従来押え金具１５は、単にパネル１２の端部を挟み込んで補強する機能のみであるので、図５に示すように、支柱１１とパネル１２の左右端部との間に生じた隙間（Ｓ）を塞ぐ機能は有していない。隙間（Ｓ）は、支柱１１間にパネル１２を固定する関係上、ゼロにすることはできない。支柱１１とパネル１２の端部との間に隙間（Ｓ）が生じると、防音と目隠し機能とが損われるといった問題があった。
【０００６】
従って、この発明の目的は、支柱とパネルの端部との間の隙間を確実に塞ぐことができ、しかも、パネルの端部を補強して、パネルの変形を防止することができるフェンス用パネル端部押え金具を提供することにある。
【課題を解決するための手段】
【０００７】
この発明は、上記目的を達成するためになされたものであり、下記を特徴とするものである。
【０００８】
請求項１に記載の発明は、防音目隠しフェンスのパネルの左右端部に固定されるフェンス用パネル端部押え金具において、平板を平面形状Ｚ形に折り曲げて、一側片、中央片および他側片を形成したものからなり、前記一側片には、前記一側片の長手方向に間隔をあけて複数個の長孔が形成され、前記他側片は、フェンスの支柱に当接されることに特徴を有するものである。
【発明の効果】
【０００９】
この発明によれば、支柱とパネルの端部との間の隙間を確実に塞ぐことができ、しかも、パネルを補強して、パネルの変形を防止することができる。
【図面の簡単な説明】
【００１０】
【図１】この発明のフェンス用パネル端部押え金具を示す斜視図である。
【図２】この発明のフェンス用パネル端部押え金具を取り付けたパネルにより構築されたフェンスを示す部分斜視図である。
【図３】図２のＡ−Ａ線断面図である。
【図４】防音目隠しフェンスを示す正面図である。
【図５】図４の部分拡大図である。
【図６】従来押え金具を示す平面図である。
【発明を実施するための形態】
【００１１】
この発明のフェンス用パネル端部押え金具の一実施態様を、図面を参照しながら説明する。
【００１２】
図１は、この発明のフェンス用パネル端部押え金具を示す斜視図、図２は、この発明のフェンス用パネル端部押え金具を取り付けたパネルにより構築されたフェンスを示す部分斜視図、図３は、図２のＡ−Ａ線断面図である。
【００１３】
図１から図３に示すように、この発明のフェンス用パネル端部押え金具（以下、本発明押え金具１という）１は、鋼板等の平板を平面形状Ｚ形に折り曲げて、一側片１Ａ、中央片１Ｂおよび他側片１Ｃを形成したものからなっている。本発明押え金具１の長さは、パネル２の端部の長さとほぼ等しい。一側片１Ａには、一側片１Ａの長手方向に間隔をあけて複数個（この例では、３個）のボルト孔３が形成されている。ボルト孔３は、一側片１Ａの幅方向に長孔状に形成されている。他側片１Ｃは、フェンスの支柱４に当接される。パネル２は、例えば、樹脂板の両面にアルミニウム板を貼付けたものからなっている。
【００１４】
このように構成されている、本発明押え金具によれば、以下のようにして、フェンスを構築した後、支柱とパネル端部との隙間を塞ぐことができる。
【００１５】
先ず、図２および図３に示すように、パネル２の左右両端にボルト７、ナット８により本発明押え金具１を固定すると共に、パネル２の上、下端部に胴縁５を取り付ける。次いで、本発明押え金具１および胴縁５が取り付けられたパネル２を、継手金具６を介して支柱４間に固定する。このとき、支柱４とパネル２の端部との間には、図３に示すように、隙間（Ｓ）が形成されている。この隙間（Ｓ）は、上述したように、構築上、ゼロにすることはできない。
【００１６】
このようにして、フェンスを構築したら、ボルト７、ナット８を緩めて、本発明押え金具１を支柱４側に、本発明押え金具１の他方片１Ｃが支柱４の側面に当接するまで移動させる。本発明押え金具１の支柱４側への移動は、本発明押え金具１の一方片１Ａに形成されたボルト孔３が長孔になっているので、容易に行える。この後、ボルト７、ナット８を本締めして、本発明押え金具１をパネル２に固定する。これによって、支柱４とパネル２の端部との間の隙間（Ｓ）は、確実に塞がれる。
【００１７】
このように、本発明押え金具１によれば、支柱４とパネル２の端部との間の隙間（Ｓ）を確実に塞ぐことができるので、防音と目隠し機能とが損われる恐れはない。しかも、従来押え金具と同様に、パネル２の端部を補強することができる。
【符号の説明】
【００１８】
１：本発明押え金具
１Ａ：一側片
１Ｂ：中央片
１Ｃ：他側片
２：パネル
３：ボルト孔
４：支柱
５：胴縁
６：継手金具
７：ボルト
８：ナット
１１：支柱
１２：パネル
１３：胴縁
１４：継手金具
１５：従来押え金具
【図１】
2010261243.tif 000003
【図２】
2010261243.tif 000004
【図３】
2010261243.tif 000005
【図４】
2010261243.tif 000006
【図５】
2010261243.tif 000007
【図６】
2010261243.tif 000008